【事件の表示】
　平成　４年特許願第　１２３１４号「ビデオカメラ」拒絶査定に対する審判事件［平成　５年　８月１３日出願公開、特開平　５−２０７３５４］について、次のとおり審決する。
【結　論】
　本件審判の請求は、成り立たない。
【理　由】
第１　【手続きの経緯、本願発明】
　本願は、平成４年１月２７日の出願であって、その請求項１に係る発明（以下「本願発明」という。）は、平成１４年１０月３１日付けの手続補正書により補正された明細書及び図面の記載からみて、その特許請求の範囲の請求項１に記載された次のとおりのものである。
「【請求項１】　フォーカスレンズにより合焦位置の調整が可能な撮像レンズと、
　上記フォーカスレンズを駆動する駆動手段と、
　上記フォーカスレンズのフォーカス位置を複数記憶する記憶手段と、
　操作されたときのフォーカスレンズ位置を上記記憶手段に記憶させる指示を行う第１の操作手段と、
　複数のフォーカスレンズ位置を指定する第２の操作手段と、
　上記駆動手段に供給する制御信号で、被写体に合焦させる手動フォーカス動作あるいはオートフォーカス動作を実行させ、その手動フォーカス動作中あるいはオートフォーカス動作中に上記第２の操作手段が操作されたとき、複数のフォーカスレンズ位置のうち上記第２の操作手段で指定されたフォーカスレンズ位置を、上記記憶手段から読み出し上記駆動手段による駆動で設定させる制御信号を供給する制御手段とを備えた
　ビデオカメラ。」
　　　　　　　　　　　　
第２　【引用例】
　これに対して、原査定の拒絶の理由に引用された特開昭５９−２３２３１７号公報（以下「引用例」という。）には、「自動雲台装置」（発明の名称）に関し、図面と共に次の１ないし１０のとおりの記載がある。
　１　「本発明は撮影に際し、テレビカメラのフォーカシングを各ショットごとに予めプリセットした情報に基づいて制御する自動雲台装置に関するものである。」（公報１頁右下欄７行ないし１０行）
　２　「本発明は上述の事項に鑑みなされたもので、撮影装置の撮影レンズのフォーカシング情報を設定するための設定操作手段と、複数のメモリー部からなるメモリー回路を有し記憶に際して前記操作手段にて設定されたフォーカシング情報を各ショットごとに所定のメモリー部に記憶させるための記憶制御部と、再生に際し、各ショットごとに所定のメモリー部を指定し該指定メモリー部に記憶されているフォーカシング情報を読み出して撮影装置の撮影レンズのフォーカシング制御を行なう再生制御部とを有する自動雲台装置においてオートフォーカスモードを指定するためのオートフォーカスモード信号を形成する調定モード指定手段を設け、前記記憶制御部によるメモリー部への記憶動作に際し、前記オートフォーカスモード信号を所定のメモリー部に記憶させると共に、前記再生制御部により前記オートフォーカスモード信号が記憶されたメモリー部が指定された際にオートフォーカスモード信号を読み出しオートフォーカス装置を作動させ前記撮影レンズのフォーカシングを自動的に調定することにより、ショットに応じてプリセットフォーカス情報による制御又は自動的なフォーカス制御を選択し得る様なしたものである。」（公報２頁左上欄５行ないし同頁右上欄８行）
　３　「次いで、上記第１図実施例の動作について説明する。
　まず、撮影に先立ち撮影情報をメモリー回路にプリセットする場合について説明する。
まず第１ショット用の情報を設定するために、ダイヤル１ｄを操作して所望のフォーカシング値を設定する。（この場合他のプリセット情報も合わせて各操作ダイヤルを操作して所望の値に設定する。）この後、トリミングキー１ｅを押下する。」（公報３頁右上欄１７行ないし同頁左下欄５行）
　４　「フォーカスサーボ装置８はダイヤル１ｄにて設定されたフォーカシング情報に基づき駆動され撮影レンズの焦点調定がダイヤルにて設定されたフォーカス値に調定される。又、他のプリセット情報により同様にしてパン、チルト等の動作が実行される。
　この様にして設定情報に基づくカメラの動作を確認した後、メモリーキー１ｂ及びショット指定用押しボタンを押下する。今、第１ショットに際して押しボタン１ａ１を押下したとするとメモリー部２Ｍ１が指定されダイヤル１ｄ等にて設定されたフォーカス値情報等は上記指定状態にあるメモリー部２Ｍ１に伝わりフォーカス値等のプリセット情報がメモリー部２Ｍ１へ設定され、以上にて第１ショット用のプリセット情報の指定メモリー部２Ｍ１への記憶動作を終了する。
この後、第２ショット用の各種情報をプリセットするには、再度ダイヤルを操作して所望の値をダイヤル操作にてプリセットする。今、第２ショット用のフォーカス制御をＡＦ調定モードにて行わせようとするには、ダイヤル１ｄを操作してフォーカス情報を設定する代わりにＡＦキー１ｃの押下を行なう。」（公報３頁左下欄１８行ないし同頁右下欄２０行）
　５　「以後、各ショットごとに操作ダイヤルにてプリセット情報を設定し（ＡＦ調定モードによるフォーカス制御を選択する際にはＡＦキー押下）、トリミングキー，メモリーキー，押しボタンを押下することにより、各ショットごとに所定のメモリー部にプリセット情報及びＡＦ信号を記憶させる。」（公報４頁右上欄４行ないし９行）　
　６　「次いで、各ショットごとに記憶されたプリセット情報の再生動作について説明する。
まず第１ショットの再生について説明する。
この場合は、押下ボタン１ａ１を押下する。これによりメモリー回路２のメモリー部２Ｍ１が指定され、メモリー部２Ｍ１に記憶されている各種プリセット情報が出力端ＤＯｎから送出される。」（公報４頁右上欄１０行ないし１６行）
　７　「このため、メモリー回路の出力端ＤＯｎから送出されたプリセット情報はマルチプレクサー４を介してＤ／Ａ変換器５に伝わり電圧に変換され、更に該電圧がスイッチ６を介してフォーカスサーボ装置８に入力、前述の如くして、プリセットしたフォーカス値情報に基づく撮影レンズのフォーカス制御が実行される。」（公報４頁左下欄６行ないし１２行）
　８　「上述の如くして第１ショット再生後に第２ショットを再生する場合は押しボタン１ａ２を押下する。これにより、メモリー回路２のメモリー部２Ｍ２が指定され前述と同様にしてメモリー部２Ｍ２に記憶されているプリセット情報が端子ＤＯｎから送出される。前述のメモリー部２Ｍ２への記憶に際してはＡＦキー１ｃを押下していたため、ＡＦ信号がメモリー部２Ｍ２に記憶されているので、上記メモリー部の読み出し動作に際し、端子ＤＯ１からＡＦ信号が送出される。
このため、該ＡＦ信号がマルチプレクサー３を介してスイッチ６に伝わり、スイッチ６は該ＡＦ信号に応答して端子を６Ｐ側と接続する。従って、第２ショットの再生に際しては、オートフォーカス装置７の出力がフォーカスサーボ装置に伝わり、オートフォーカス装置からの被写体距離信号に基づきフォーカスが自動的に調定される。
尚、他の撮影ファクターは第１ショットの再生と同様にしてメモリー回路２から読み出されたプリセット情報に基づいて制御される。以上にてメモリー部２Ｍ２に記憶されたプリセット情報及びＡＦ信号に基づく第２ショットの再生が実行される。
以下、各ショットの再生に際して、押しボタン１ａ１〜１ａ５を選択的に押下することにより、自動的に所定のメモリー部が選択され、プリセットされた情報に基づく再生動作が実行される。」（公報４頁左下欄１７行ないし５頁左上欄２行）
　９　「更に実施例における雲台装置としては操作パネル１、メモリー回路２、Ｄ／Ａ変換器５、マルチプレクサー３，４を一体となし、他の回路部をカメラ側に設け雲台装置にて遠隔制御を行なう様なしているが、どの回路をカメラ側又は雲台装置側に設けるかは任意に決定することが出来ることはもちろんである。」（公報５頁左上欄１０行ないし１６行）
　１０　「以上、詳述した如く、本発明に係る雲台装置にあってはメモリー回路にショットに応じてフォーカシング値をプリセットするかもしくはＡＦ信号を記憶させたものであるので、再生に際してプリセットフォーカス値を記憶したメモリー部を指定すればプリセットフォーカス値に基づくフォーカシング制御を実行し得ると共にＡＦ信号を記憶したメモリー部を指定すればオートフォーカスにて自動的に被写体の位置に応じたフォーカシング制御を実行し得るものであり、撮影状況に応じた再生を可能ならしめることが出来る。」（公報５頁左上欄１７行ないし同頁右上欄７行）
　　　　　　　　　　　　　　　　　　
第３　【当審の判断】
　１　［対比］
　本願発明と引用例に記載の発明を対比すると次のことが認められる。
（１）引用例には、フォーカスサーボ装置が、撮影装置の撮影レンズを駆動してフォーカシング制御を行なうことが記載されており（引用例の上記４、７、８の記載参照）、その「撮影レンズ」、「フォーカスサーボ装置」が、それぞれ本願発明の「撮像レンズ」、「駆動手段」に相当することは明らかである。
（２）引用例には、複数のメモリー部からなるメモリー回路を有し記憶に際して操作手段にて設定されたフォーカシング情報を各ショットごとに所定のメモリー部に記憶させることが記載されており（引用例の上記２の記載参照）、そのメモリー回路が、本願発明でいう「上記フォーカスレンズのフォーカス位置を複数記憶する記憶手段」に相当するものといえる。
（３）引用例には、設定情報に基づくカメラの動作を確認した後、メモリーキー１ｂ及びショット指定用押しボタンを押下して、各ショットごとのメモリー部にプリセット情報を記憶させることが記載されており（引用例の上記４の記載参照）、そのメモリーキー１ｂが、本願発明でいう「操作されたときのフォーカスレンズ位置を上記記憶手段に記憶させる指示を行う第１の操作手段」に相当するものといえる。
（４）引用例には、各ショットの再生に際して、押しボタン１ａ１〜１ａ５を選択的に押下することにより、自動的に所定のメモリー部が選択され、プリセットされたフォーカス値情報に基づく再生動作が実行されることが記載されており（引用例の上記７、８の記載参照）、その押しボタン１ａ１〜１ａ５が、本願発明でいう「複数のフォーカスレンズ位置を指定する第２の操作手段」に相当するものといえる。
（５）引用例には、オートフォーカス装置７の出力がフォーカスサーボ装置に伝わり、オートフォーカス装置からの被写体距離信号に基づきフォーカスが自動的に調定されること、また各ショットの再生に際して、押しボタン１ａ１〜１ａ５を選択的に押下することにより、自動的に所定のメモリー部が選択され、プリセットされたフォーカス値情報に基づく再生動作が実行されることが記載されており（引用例の上記７、８の記載参照）、また再生に際してプリセットフォーカス値を記憶したメモリー部を指定すればプリセットフォーカス値に基づくフォーカシング制御を実行し得ると共にＡＦ信号を記憶したメモリー部を指定すればオートフォーカスにて自動的に被写体の位置に応じたフォーカシング制御を実行し得ることも記載されており（引用例の上記１０の記載参照）、さらにビデオカメラにおいて、駆動手段に供給する制御信号で、被写体に合焦させる手動フォーカス動作を実行させることも普通のことであるから、引用例に記載の発明も、「上記駆動手段に供給する制御信号で、被写体に合焦させる手動フォーカス動作あるいはオートフォーカス動作を実行させ」、その手動フォーカス動作中あるいはオートフォーカス動作中か否かは別として、「上記第２の操作手段が操作されたとき、複数のフォーカスレンズ位置のうち上記第２の操作手段で指定されたフォーカスレンズ位置を、上記記憶手段から読み出し上記駆動手段による駆動で設定させる制御信号を供給する制御手段」を有するものといえ、その点では、本願発明と変わりがない。
（６）引用例には、撮影に際し、テレビカメラのフォーカシングを各ショットごとに予めプリセットした情報に基づいて制御する自動雲台装置が記載されており（引用例の上記１の記載参照）、また実施例における雲台装置としては操作パネル１、メモリー回路２、Ｄ／Ａ変換器５、マルチプレクサー３，４を一体となし、他の回路部をカメラ側に設け雲台装置にて遠隔制御を行なう様なしているが、どの回路をカメラ側又は雲台装置側に設けるかは任意に決定することが出来ると記載されている（引用例の上記９の記載参照）。
　これらの記載によれば、引用例に記載の発明も、本願発明と同様の「ビデオカメラ」を対象としているものといえる。
　２　［一致点］
　以上の点（１）ないし（６）を踏まえると、本願発明と引用例に記載された発明とは、
「フォーカスレンズにより合焦位置の調整が可能な撮像レンズと、
　上記フォーカスレンズを駆動する駆動手段と、
　上記フォーカスレンズのフォーカス位置を複数記憶する記憶手段と、
　操作されたときのフォーカスレンズ位置を上記記憶手段に記憶させる指示を行う第１の操作手段と、
　複数のフォーカスレンズ位置を指定する第２の操作手段と、
　上記駆動手段に供給する制御信号で、被写体に合焦させる手動フォーカス動作あるいはオートフォーカス動作を実行させ、上記第２の操作手段が操作されたとき、複数のフォーカスレンズ位置のうち上記第２の操作手段で指定されたフォーカスレンズ位置を、上記記憶手段から読み出し上記駆動手段による駆動で設定させる制御信号を供給する制御手段とを備えた
　ビデオカメラ。」である点で一致し、次の点で相違する。
　３　［相違点］
　制御手段が、本願発明では、「その手動フォーカス動作中あるいはオートフォーカス動作中に」、上記第２の操作手段が操作されたとき、複数のフォーカスレンズ位置のうち上記第２の操作手段で指定されたフォーカスレンズ位置を、上記記憶手段から読み出し上記駆動手段による駆動で設定させる制御信号を供給するものであるのに対して、引用例には、それらのことが明記されていない点。
　４　［相違点の検討］
　そこで、上記相違点について検討する。
　引用例には、各ショットの再生に際して、押しボタン１ａ１〜１ａ５を選択的に押下することにより、自動的に所定のメモリー部が選択され、プリセットされた情報に基づく再生動作が実行されることが記載されており（引用例の上記８の記載参照）、また再生に際してプリセットフォーカス値を記憶したメモリー部を指定すればプリセットフォーカス値に基づくフォーカシング制御を実行し得ると共にＡＦ信号を記憶したメモリー部を指定すればオートフォーカスにて自動的に被写体の位置に応じたフォーカシング制御を実行し得るものであり、撮影状況に応じた再生を可能ならしめることが記載されている（引用例の上記１０の記載参照）。
　これらの記載によれば、引用例に記載の発明もオートフォーカスにて自動的に被写体の位置に応じたフォーカシング制御を実行中に、撮影状況に応じて、押しボタン１ａ１〜１ａ５を選択的に押下することによってプリセット値に基づくフォーカシング制御を実行し得るものといえる。
　そうすると、引用例に記載の発明において、その制御手段が、オートフォーカスにて自動的に被写体の位置に応じたフォーカシング制御を実行中に、すなわちオートフォーカス動作中に、押しボタン１ａ１〜１ａ５（第２の操作手段）を選択的に押下することによってプリセットフォーカス値を記憶したメモリー部が指定され、そのプリセットフォーカス値情報に基づく撮影レンズのフォーカス制御が実行されるようになす程度のことは当業者が適宜になし得ることといえる。言い換えると、引用例に記載の発明において、その制御手段が、本願発明のように、「その手動フォーカス動作中あるいはオートフォーカス動作中に」、上記第２の操作手段が操作されたとき、複数のフォーカスレンズ位置のうち上記第２の操作手段で指定されたフォーカスレンズ位置を、上記記憶手段から読み出し上記駆動手段による駆動で設定させる制御信号を供給するようになす程度のことは当業者が適宜になし得ることといえる。
　そして、本願発明の構成に基づく効果についてみても格別顕著なものがあるとはいえない。　　
　　　　　　　　　　　　　　　　　　　　
第４　【むすび】
　したがって、本願発明は、引用例に記載された発明に基づいて当業者が容易に発明をすることができたものであるから、特許法第２９条第２項の規定により特許を受けることができない。
　よって、結論のとおり審決する。